【手続補正書】
【提出日】平成16年11月11日(2004.11.11)
【手続補正１】
【補正対象書類名】明細書
【補正対象項目名】全文
【補正方法】変更
【補正の内容】
【書類名】        明細書
【発明の名称】  蓄光材を利用した液晶ディスプレイ
【特許請求の範囲】
【請求項１】  第１の偏光フィルタと蓄光体による第２の偏光フィルタとの間に電極により駆動する表示部を備えた液晶セルが設けられ、蓄光体による第２の偏光フィルタの背面に反射部材が備えられてなる液晶ディスプレイであって、
文字、図形、記号などが表される前記の表示部が可視光線の入射により液晶セルの背面に設けられた前記の蓄光体による第２の偏光フィルタを蓄光させることができるとともに、紫外線の入射により前記の蓄光体による第２の偏光フィルタを発光させることができ、かつ、前記の反射部材の反射光を通過できるように無数の間隙部を残存させて構成されてなることを特徴とする液晶ディスプレイ。
【請求項２】  第１の偏光フィルタと第２の偏光フィルタとの間に電極により駆動する表示部を備えた液晶セルが設けられ、第２の偏光フィルタの背面に反射部材が備えられ、液晶セルと第２の偏光フィルタとの間に蓄光材を備えた蓄光層が設けられてなる液晶ディスプレイであって、
文字、図形、記号などが表される前記の表示部が可視光線の入射により表示部を備えた液晶セルの背面に設けられた前記の蓄光層の蓄光材を蓄光できるとともに、紫外線の入射により前記の蓄光層の蓄光材を発光させることができ、かつ、前記の反射部材の反射光を通過できるように無数の間隙部を残存させて構成され、
前記の蓄光層は前記の液晶セル側から入射される可視光線、紫外線および反射部材の反射光を通過できるように無数の間隙部が形成されたものであることを特徴とする蓄光材を利用した液晶ディスプレイ。
【請求項３】  前記の蓄光層は前記の液晶セルの少なくとも前記の表示部に対応させて設けられてなることを特徴とする請求項２記載の蓄光材を利用した液晶ディスプレイ。
【請求項４】  第１の偏光フィルタと第２の偏光フィルタとの間に電極により駆動する表示部を備えた液晶セルが設けられ、第２の偏光フィルタの背面に反射部材が備えられてなる液晶ディスプレイにおいて、
文字、図形、記号などが表される前記の前記の表示部が可視光線の入射により表示部の背面に設けられた蓄光材を蓄光できるとともに、紫外線の入射により蓄光材を発光させることができ、かつ、前記の反射部材の反射光を通過できるように無数の間隙部を残存させて構成され、
液晶セル側から入射される可視光線、紫外線および第２の偏光フィルタの背面に設けられた反射部材による反射光を透過できるように前記の液晶セル内に蓄光材が混入されてなることを特徴とする蓄光材を利用した液晶ディスプレイ。
【発明の詳細な説明】
【０００１】
【発明が属する技術分野】
この発明は、蓄光製品を利用したディスプレイに関する。
【０００２】
【従来の技術】
この種の先行技術は、蓄光材を利用した液晶ディスプレイについていえば、たとえば特開平１１−２１１２０４号公報などの発明がある。
同公報には、透過形液晶表示部の裏面に蓄光材シートが設けられたものと、両者の間にハーフミラーが設けられてなるものであり、昼間時は液晶表示部から入った光の一部を反射光として使用することにより、昼間時の液晶表示部の視認性を図り、暗い場所では昼間の光を蓄光した蓄光材シートから放出され発光により、ハーフミラーを透過した光を液晶表示部のバックライト代わりに利用することにより、液晶表示部を見やすくする、旨の記載がされている。
【０００３】
【発明が解決しようとする課題】
【０００４】
従来の発明は、昼間時に液晶表示部の外部から入った光の一部を反射光として使用することにより、昼間時の液晶表示部の視認性を図り、夜間時では蓄光材シートに蓄光された光エネルギーを液晶表示に投射させることが意図されている。
しかし、液晶表示部が透過形である旨記載がされているものの、その具体的構成の開示がない。
現在、市販されているものには２０００×２０００という高画素数のものがあるが、液晶表示部の画素数が仮に２００×２００程度の少ないものとしても、人の視覚により感知できるに足りるほど蓄光材シートが蓄光したり、発光するか明らかとはいえない。
透過形液晶表示部から入射される光により蓄光材シートが蓄光し、他方、紫外線の吸収により発光するとしても、液晶表示部が透過形である目的は液晶表示部の外部から入った光を蓄光材シートに導入し、蓄光材シートを蓄光させたり、紫外線により発光させることにあるわけではないから、人の視覚により感知できる程度の蓄光機能を期待できるとはいえない。
【０００５】
また、仮に蓄光と発光が可能であるとしても、人の視覚により感知できる残光輝度、残光時間、励起時間、耐光性などについて明らかに不利を回避できない。
その上、前記したように、透過形液晶表示部の裏面に蓄光材シートが設けられた液晶表示付リモコンと、蓄光シートと液晶表示部の間にハーフミラーが設けられた液晶表示付リモコンであるから、電極により表示部が駆動されていないにもかかわらず、たとえば一般的に知られるセグメント「８」の指標が表示された状態が継続することになる。
何故なら、明細書に記載がないものの、一般的に知られるように計算器などの液晶ディスプレイについていえば、透過形液晶表示部の正面と背面には偏光フィルタが設けられ、背面側の偏光フィルタの背面にはさらに反射板が設けられることにより、液晶ディスプレイの非使用時には電極を駆動させないようにし、反射板が奏する光を背面側の偏光フィルタを透過させ、液晶表示部の指標（たとえば「８」の文字）を表れないようにする必要があるが（表示は普通白っぽく表れる）、この点の課題が解決されていないからである。
【０００６】
前記した従来技術の問題点に鑑み、本願発明の目的は、計算器などの液晶ディスプレイにおいて、電極により駆動する液晶セルによる表示部がオンの場合、キーを押すことにより液晶セルの一定の部分に電流が流れることにより、その部分は偏光が捻られないので、透過する光線は液晶セルの背面に設けられた偏光フィルタで遮られる。
【０００７】
その結果、偏光フィルタの背面に設けられた反射板から反射光が反射されないので、表示部が一般的に黒く表れ、黒く表れた表示部が人の視覚により視認されることは知られるとおりである。
【０００８】
ところで、表示部が黒く表れるから、表示部を目視する環境が明るい場合は、問題ないものの、暗所中でも、表示部は黒く表れるので表示部が暗所に埋没し、到底、表示部の視覚による視認は不能であった。
【０００９】
そこで、本願発明の目的は、暗所中においても人の視覚により違和感なく表示部を視認できる液晶ディスプレイを提供することにある。
【００１０】
さらに、前記の液晶ディスプレイの目的を図るとともに、かつ、液晶ディスプレイの電極を駆動させない場合に、蓄光体による第２の偏光フィルタを採用しても、反射板が奏する光を背面側の偏光フィルタを透過させ、表示部の指標（たとえば「８」の文字）が表れないように制御することも発明の目的としている。
【００１１】
【課題を解決するための手段および作用効果】
上記の目的を達成するため、請求項１記載の蓄光製品の発明は、
請求項１記載の蓄光材を利用した液晶ディスプレイの発明は、
第１の偏光フィルタと蓄光体による第２の偏光フィルタとの間に電極により駆動する表示部を備えた液晶セルが設けられ、蓄光体による第２の偏光フィルタの背面に反射部材が備えられてなる液晶ディスプレイであって、文字、図形、記号などが表される前記の表示部が可視光線の入射により液晶セルの背面に設けられた前記の蓄光体による第２の偏光フィルタを蓄光させることができるとともに、紫外線の入射により前記の蓄光体による第２の偏光フィルタを発光させることができ、かつ、前記の反射部材の反射光を通過できるように無数の間隙部を残存させて構成されてなることを特徴とするものである。
【００１２】
請求項１記載の蓄光材を利用した液晶ディスプレイの発明は、上記の構成であり、表示部は無数の間隙部を残存させて構成されているから、無数の間隙部を通じて蓄光体による第２の偏光フィルタに昼間の太陽光線などの可視光線を入射できるので第２の偏光フィルタに光エネルギーを蓄光できる。
【００１３】
他方、計算器などの液晶ディスプレイについていえば、電極により駆動する液晶による表示部をオンにし、キーを押すことにより液晶の一定の部分に電流が流れることにより、一定の個所は偏光を捻られないので通過する光は第２の偏光フィルタにより遮られる。
したがって、反射部材には反射する光が存在しないから、明所では表示部が黒く表れるから、目視できる。
しかし、暗所中でも、表示部が黒く表れることにより、その表示部が暗所に埋没し、到底、表示部の視認性は従来不能であったが、この発明では、夜間などの暗所中で表示部の無数の間隙部を通じて入射される紫外線の作用を受けて表示部の背面に設けられた蓄光体による第２の偏光フィルタに蓄光された光エネルギーは発光し、その発光線は可視光線として表示部の無数の間隙部を通じて外部へ放出される。
【００１４】
かくして、この発明では、表示部が暗闘中でもいわゆるバックライトがなくても違和感なく輝いた表示部として視認できる。
【００１５】
また、蓄光体による第２の偏光フィルタはその背面に設けられた反射部材による反射光を透過できるよう無数の間隙部が形成されたものであるから、液晶ディスプレイの電極がオフの場合、電流が流れないので液晶セルの表示部が偏光をひねって第２の偏光フィルターを通過し、その光は反射部材が反射して光は無数の間隙部を形成した第２の偏光フィルタを透過し、液晶セルを通過して再度捻られる。
そして、その光は第１の偏光フィルターを透過することにより表示部は従来品と異なることなく数字などの指標を表すことなく、白く表れるから、従来品と比較して違和感を生じない。
【００１６】
請求項２記載の液晶ディスプレイの発明は、
第１の偏光フィルタと第２の偏光フィルタとの間に電極により駆動する表示部を備えた液晶セルが設けられ、第２の偏光フィルタの背面に反射部材が備えられ、液晶セルと第２の偏光フィルタとの間に蓄光材を備えた蓄光層が設けられてなる液晶ディスプレイであって、文字、図形、記号などが表される前記の表示部が可視光線の入射により表示部を備えた液晶セルの背面に設けられた前記の蓄光層の蓄光材を蓄光できるとともに、紫外線の入射により前記の蓄光層の蓄光材を発光させることができ、かつ、前記の反射部材の反射光を通過できるように無数の間隙部を残存させて構成され、前記の蓄光層は前記の液晶セル側から入射される可視光線、紫外線および反射部材の反射光を通過できるように無数の間隙部が形成されたものであることを特徴とするものである。
【００１７】
請求項２記載の液晶ディスプレイの発明は、上記の構成であるから、請求項１記載の発明が奏する作用効果のほか、市販の第２の偏光フィルタを利用できる有利性がある。
【００１８】
請求項３記載の蓄光材を利用した液晶ディスプレイの発明は、
請求項２記載の発明において、前記の蓄光層は前記の液晶セルの少なくとも前記の表示部に対応させて設けられてなることを特徴とするものである。
【００１９】
請求項３記載の液晶ディスプレイの発明は、上記の構成であるから、請求項２記載の発明が奏する作用効果のほか、蓄光層は前記の液晶セルの表示部に対応させて設けられてなるから、蓄光層の有効使用を図ることができる。
【００２０】
請求項４記載の液晶ディスプレイの発明は、
第１の偏光フィルタと第２の偏光フィルタとの間に電極により駆動する表示部を備えた液晶セルが設けられ、第２の偏光フィルタの背面に反射部材が備えられてなる液晶ディスプレイにおいて、文字、図形、記号などが表される前記の前記の表示部が可視光線の入射により表示部の背面に設けられた蓄光材を蓄光できるとともに、紫外線の入射により蓄光材を発光させることができ、かつ、前記の反射部材の反射光を通過できるように無数の間隙部を残存させて構成され、液晶セル側から入射される可視光線、紫外線および第２の偏光フィルタの背面に設けられた反射部材による反射光を透過できるように前記の液晶セル内に蓄光材が混入されてなることを特徴とするものである。
【００２１】
請求項４記載の蓄光材を利用した液晶ディスプレイの発明は、上記の構成であるから、請求項１記載の発明と共通の作用効果を奏することのほか、蓄光材が液晶セル内に混入されているから、請求項１記載の発明と比較して液晶ディスプレイの組立に際し、蓄光層の組付作業を省略できる。
【００２２】
【発明の実施の形態】
以下にこの発明の実施の形態に係る蓄光材を利用したディスプレイを図面を参照して説明する。
図１は蓄光材を利用したディスプレイの実施の形態の要部の分解斜視図、図２は他の実施の形態の要部の分解斜視図である。
【００２３】
この実施の形態は、蓄光体を利用した液晶ディスプレイの発明に関するものである。
この実施の形態の基本的構成は、第１の偏光フィルタ４０と蓄光体による第２の偏光フィルタ４２との間に電極により駆動する表示部４４を備えた液晶セル４６が設けられ、蓄光体による第２の偏光フィルタ４２の背面に反射部材４８が備えられている。
さらに、文字、図形、記号などが表される前記の表示部４４が可視光線の入射により液晶セル４６の背面に設けられた前記の蓄光体による第２の偏光フィルタ４２を蓄光させることができるとともに、紫外線の入射により前記の蓄光体による第２の偏光フィルタ４２を発光させることができるように無数の間隙部５０を残存させて構成されてなるものである（図１を参照）。
【００２４】
この実施の形態は、電卓などの計器類として知られたいわゆるセグメントを備えた液晶ディスプレイを例に挙げたが、何らこの形態の液晶ディスプレイに制約されない。
【００２５】
さて、電卓として知られたいわゆるセグメントを備えた液晶ディスプレイの具体的構成は知られるとおりであるから、多くを説明しないが、基本的構成は公知のものと比較して変化しない。
【００２６】
前記したように、第２の偏光フィルタ４２が蓄光体であることのほか、この実施の形態の発明の大きな特徴であるが、電極により駆動する表示部４４が無数の間隙部５０を残存させていわゆるドット状態により構成されている。
【００２７】
ところで、公知の電卓として知られたいわゆるセグメントを備えたマトリックスタイプの液晶ディスプレイについていえば、電極により駆動する表示部が画素により構成されているものの、表示部を専ら鮮明にする意図からその画素の密度は極めて高いものであるが（少ないものでも画素数２００×２００）、この発明が意図するように、表示部４４は可視光線の入射により液晶セル４６の背面に設けられた前記の蓄光体による第２の偏光フィルタ４２が蓄光できるとともに紫外線の入射により前記の蓄光体による第２の偏光フィルタ４２が発光できるように無数の間隙部５０を残存させて構成されたものである。
さらにいえば、反射部材４８の反射光を通過させることができるものである。
【００２８】
換言すれば、公知の電卓などの液晶ディスプレイにおける表示部の画素の構成は、仮に可視光線や紫外線の入射が可能としても、到底、人の肉眼により視覚を目的とする蓄光材の蓄光機能や蓄光材の発光機能を期待できるとはいえない。
よって、この発明の前記した表示部４４の構成は従来の画素数と比較して少ないものといえる。
【００２９】
表示部４４を備えた液晶セル４６の背面には前記した蓄光体による第２の偏光フィルタ４２が設けられているが、第２の偏光フィルタ４２にはその背面に設けられた反射部材４８による反射光を透過できるよう無数の間隙部が形成されたものである（第１の偏光フィルタの間隙とは交差方向に設けられている）。
【００３０】
かくして、この実施の形態の蓄光体を利用した液晶ディスプレイの発明は、液晶セル４６の表示部４４に無数の間隙部５０が残存されて構成され、液晶セル４６の背面には蓄光体による第２の偏光フィルタ４２が設けられているから、昼間の太陽光線などの可視光線を表示部４４に設けられた無数の間隙部５０を通じて第２の偏光フィルタ４２に入射できるので第２の偏光フィルタ４２に光エネルギーを蓄光できる。
【００３１】
他方、電極により駆動する液晶による表示部４４をオンにし、キーを押すことにより液晶セル４６の一定の部分に電流が流れることにより、一定の部分は偏光を捻らないのでその光は通過するが、第２の第２の偏光フィルタ４２により反射部材４８側へ通過しないように遮られる（図１を参照）。
したがって、反射部材４８には反射光がないから、明所では表示部４４が黒く表れるので、目視できるから問題がない。
しかし、暗所中でも、表示部４４が黒く表れるから、その表示部４４が暗所に埋没し、到底、表示部４４の視認は従来不能であった。
しかし、この発明では、夜間などの暗所中で表示部４４の無数の間隙部５０を通じて入射される紫外線の作用を受けて蓄光体による第２の偏光フィルタ４２に蓄光された光エネルギーは発光し、その発光線は可視光線として表示部４４の無数の間隙部５０を通じて外部へ放出される。
【００３２】
かくして、無数の間隙部５０を残存させた表示部４４は暗闘中に違和感なく人の視覚により輝いて認識できる。
また、蓄光体による第２の偏光フィルタ４２はその背面に設けられた反射部材４８による反射光を透過できるよう無数の間隙部が形成されたものであるから、液晶ディスプレイがオフの場合、電流が流れないので、第１の偏光フィルタ４０から入射した光は液晶セル４６により捻られことにより、第２の偏光フィルタ４２を通過し、そのままその光は反射部材４８により反射して第２の偏光フィルタ４２を透過し、再度液晶セル４６により捻られる。
そして捻られた反射光は第１の偏光フィルタ４０を透過することにより、液晶セル４６の表示部４４は従来品と同様に数字などを表すことなく、白く表れるから違和感を生じない。
【００３３】
さらに、いえば、第２の偏光フィルタ４２の蓄光体は、液晶セル４６に設けられた表示部４４と対応して設けられていることが好ましい。
第２の偏光フィルタ４２に蓄光体を設ける目的は、蓄光体から放出される発光を液晶セル４６に設けられた表示部４４へ投射させることにより、暗所においても表示部４４を輝かせ、視認性を図ることにあるから、非表示部に対する発光の投射は必要がないからである。
もっとも、蓄光体を表示部４４と対応する部分にのみ設ける工程が、生産工程上煩雑とすれば、蓄光体の無駄な使用につながるおそれがあるものの、必ずしも、蓄光体が前記の表示部４４と対応して設けられることにのみ制限されない。
【００３４】
前記の例では、第２の偏光フィルタ４２が蓄光体によるものであることを説明したが、第２の偏光フィルタの材質を従来のものとし、第２の偏光フィルタと反射部材４８との間に無数の間隙部を設けた蓄光層を設けることも予定されている
（図２を参照）。
つまり、第１の偏光フィルタ４０と第２の偏光フィルタ６０との間に電極により駆動する表示部４４を備えた液晶セル４６が設けられ、第２の偏光フィルタ６０の背面に反射部材４８が備えられ、液晶セル４６と第２の偏光フィルタ６０との間に蓄光層６２が設けられてなるものである。
なお、蓄光層６２ａは図２を参照して明らかなように、液晶セル４６の表示部４４に対応する部分にのみ設けることも予定されている。
【００３５】
そして、文字、図形、記号などが表される前記の表示部４４が可視光線の入射により表示部４４を備えた液晶セル４６の背面に設けられた蓄光層６２により蓄光できるとともに紫外線の入射により前記の蓄光層６２が発光できるように無数の間隙部５０を残存させて構成され、前記の蓄光層６２はその背面に設けられた反射部材４８による反射光を透過できるよう無数の間隙部が形成されたものである（図２を参照）。
【００３６】
かくして、先に説明した実施の形態と異なり、蓄光層６２を別に設けるものの、その機能は先に説明した実施の形態の液晶ディスプレイと比較して遜色がない。
【００３７】
液晶セル４６と蓄光層６２とを独立して設け、蓄光層６２を液晶セル４６に設けられた表示部４４の背面に位置させる例を挙げたが、液晶セル４６内に蓄光材を分散させて混入させることも予定されている。
この場合、蓄光材は液晶セル４６に設けられた好ましくは表示部４４の背面に分散されている。つまり、蓄光材の有効使用量を図るため、液晶セル４６内の全域に必ずしも分散させる必要はない。
【００３８】
液晶セル４６と蓄光層６２が独立して設けられている場合、液晶セル４６内に蓄光材が分散されている場合でも、電流が流れない場合、可視光線は第１の偏光フィルタ４０を通過し、液晶セル４６により捻られた光は第２の偏光フィルタ４２を通過し、その光は蓄光層６２の無数の間隙部を通過し、さらに、第２の偏光フィルタ４２を通過し、反射部材４８により反射し、その反射光は第２の偏光フィルタ４２により捻られることなく、蓄光層６２を通過し、液晶セル４６により捻られて第１の偏光フィルタ４０を通過するから、液晶セル４６の表示部４４には数字などの指標が表れることなく、従来品と同様に白っぽく表れるから、違和感を生じない。
電流を流した場合は、先の説明から明らかなように、違和感なく表示部は黒く表れることはいうまでもない。
【図面の簡単な説明】
【図１】
この発明の実施の形態に係る蓄光材を利用したディスプレイの要部の分解斜視である。
【図２】
この発明の他の実施の形態に係る蓄光材を利用したディスプレイの要部の分解斜視である。
【符号の説明】
４０  第１の偏光フィルタ
４２  第２の偏光フィルタ
４４  表示部
４６  液晶セル
４８  反射部材
５０  間隙部
６０  第２の偏光フィルタ
６２  蓄光層
【手続補正２】
【補正対象書類名】図面
【補正対象項目名】図１
【補正方法】削除
【補正の内容】
【手続補正３】
【補正対象書類名】図面
【補正対象項目名】図２
【補正方法】削除
【補正の内容】
【手続補正４】
【補正対象書類名】図面
【補正対象項目名】図３
【補正方法】削除
【補正の内容】
【手続補正５】
【補正対象書類名】図面
【補正対象項目名】図４
【補正方法】削除
【補正の内容】
【手続補正６】
【補正対象書類名】図面
【補正対象項目名】図５
【補正方法】削除
【補正の内容】
【手続補正７】
【補正対象書類名】図面
【補正対象項目名】図５
【補正方法】削除
【補正の内容】
【手続補正８】
【補正対象書類名】図面
【補正対象項目名】図７
【補正方法】削除
【補正の内容】
【手続補正９】
【補正対象書類名】図面
【補正対象項目名】図８
【補正方法】削除
【補正の内容】
【手続補正１０】
【補正対象書類名】図面
【補正対象項目名】図１
【補正方法】変更
【補正の内容】
【図１】
2003162230.tif 000001
【手続補正１１】
【補正対象書類名】図面
【補正対象項目名】図２
【補正方法】変更
【補正の内容】
【図２】
2003162230.tif 000002